(57)【特許請求の範囲】
【請求項１】
血圧測定機能を有し、手首に装着される機器であって、
手首を周方向に取り巻いて装着される帯状のベルトを備え、このベルトは、上記手首の動脈を圧迫するための上記周方向に延在する流体袋を含み、
上記ベルトのうち上記手首の掌側面または背側面に対応すべき部位に配置された本体を備え、この本体に血圧測定機能を実行するための要素として、少なくとも上記流体袋に空気を供給して圧力制御するための圧力制御部が搭載され、
上記ベルトのうち上記周方向に関して上記本体から離間した部位に、上記本体に搭載された要素へ電力を供給する電池が配置され、
上記ベルト内に、上記流体袋に沿って上記周方向に延在し、上記本体に搭載された要素と上記電池とを電気的に接続する配線が設けられ、
上記配線は、上記ベルト内で、上記周方向に対して垂直な幅方向に関して上記流体袋から外れて縁部に沿って配置されていることを特徴とする機器。
【請求項２】
請求項１に記載の機器において、
上記ベルトは、上記手首を取り巻いた状態で、上記周方向に関して一端部が内周側、他端部が外周側となって互いにオーバラップするように構成され、
上記電池は、上記ベルトのうち上記外周側となる上記他端部に配置されていることを特徴とする機器。
【請求項３】
請求項１または２に記載の機器において、
上記電池が配置された上記部位には電池のみが配置されていることを特徴とする機器。
【発明の詳細な説明】
【技術分野】
【０００１】
この発明は機器に関し、より詳しくは、血圧測定機能を有し、手首に装着される機器に関する。
【背景技術】
【０００２】
従来、この種の機器としては、例えば特許文献１（特開平９−３８０５２号公報）に開示されているように、手首を取り巻いて装着されるカフ帯と、上記カフ帯のうち上記手首の掌側面（手の平側の面）に対応すべき部位に配置された血圧計本体とを備えたものが知られている。血圧計本体には、この本体内の血圧測定のための要素（ポンプ、制御回路など）に電力を供給するための電池が収容されている。
【先行技術文献】
【特許文献】
【０００３】
【特許文献１】特開平９−３８０５２号公報
【発明の概要】
【発明が解決しようとする課題】
【０００４】
しかしながら、上記機器では、上記本体の外形寸法、例えば手首の外周面に対して垂直な方向の厚さが比較的大きくなっている。この結果、常時装着して使用すると、ユーザの日常活動の邪魔になるという問題がある。
【０００５】
そこで、この発明の課題は、血圧測定機能を有し、手首に装着される機器であって、本体の外形寸法を小型化できるものを提供することにある。
【課題を解決するための手段】
【０００６】
上記従来例の機器を解析したところ、本発明者は、血圧計本体内で電池が占める容積が最も大きいことに着目した。血圧計本体から電池を分離して配置すれば、上記本体の外形寸法、例えば手首の外周面に対して垂直な方向の厚さを小型化できる。ただし、上記本体と上記電池とを電気的に接続する配線にノイズを生ずる可能性があるため、その対策が必要になると考えられる。
【０００７】
上記課題を解決するため、この発明の機器は、
血圧測定機能を有し、手首に装着される機器であって、
手首を周方向に取り巻いて装着される帯状のベルトを備え、このベルトは、上記手首の動脈を圧迫するための上記周方向に延在する流体袋を含み、
上記ベルトのうち上記手首の掌側面または背側面に対応すべき部位に配置された本体を備え、この本体に血圧測定機能を実行するための要素として、少なくとも上記流体袋に空気を供給して圧力制御するための圧力制御部が搭載され、
上記ベルトのうち上記周方向に関して上記本体から離間した部位に、上記本体に搭載された要素へ電力を供給する電池が配置され、
上記ベルト内に、上記流体袋に沿って上記周方向に延在し、上記本体に搭載された要素と上記電池とを電気的に接続する配線が設けられ、
上記配線は、上記ベルト内で、上記周方向に対して垂直な幅方向に関して上記流体袋から外れて縁部に沿って配置されていることを特徴とする。
【０００８】
本明細書で、手首の「掌側面」とは、手首の外周面のうち手の平側に相当する部分を指す。手首の「背側面」とは、手首の外周面のうち手の甲側に相当する部分を指す。
【０００９】
また、「手首」は、左手首と右手首とのいずれであってもよい。
【００１０】
この発明の機器では、ベルトのうち手首を取り巻く周方向に関して本体から離間した部位に、上記本体に搭載された要素へ電力を供給する電池が配置されている。したがって、上記本体内に電池を収容する構成を避け得る。この結果、上記本体の外形寸法を小型化できる。例えば、手首の外周面に対して垂直な方向の厚さを薄厚に設計できる。
【００１１】
また、この機器では、上記ベルト内で上記流体袋に沿って上記周方向に延在する配線によって、上記本体に搭載された要素と上記電池とが電気的に接続されている。この配線を通して上記電池から上記本体に搭載された要素へ電力が供給されて、血圧測定が実行され得る。
【００１２】
また、この機器では、上記本体に搭載された圧力制御部によって、上記流体袋に空気が供給されて、上記流体袋が圧力制御される。これにより、上記手首の動脈が圧迫され、例えば公知のオシロメトリック法によって、血圧測定が実行され得る。
【００１３】
この血圧測定の際に、上記流体袋が圧力制御されて、膨張または収縮する。仮に、上記ベルト内で上記配線が上記幅方向に関して上記流体袋に重なって配置されていれば、上記流体袋の膨張または収縮に起因して、上記流体袋と上記配線とが摩擦をもって相対的にずれて、血圧測定時のカフ圧信号（したがって、脈波信号）に対してノイズを生ずる可能性がある。また、上記配線が、繰り返し屈曲されて、断線する可能性がある。そこで、この機器では、上記ベルト内で、上記配線は、上記周方向に対して垂直な幅方向に関して上記流体袋から外れて縁部に沿って配置されている。したがって、血圧測定時のカフ圧信号（したがって、脈波信号）に対してノイズが生ずるのを防止できる。また、上記配線が断線するのを防止できる。
【００１４】
なお、「機能を実行するための要素」は、「血圧測定機能」以外の他の機能、例えば時計機能、体温測定機能、活動量測定機能などを実行するための要素を含んでいてもよい。
【００１５】
一実施形態の機器では、
上記ベルトは、上記手首を取り巻いた状態で、上記周方向に関して一端部が内周側、他端部が外周側となって互いにオーバラップするように構成され、
上記電池は、上記ベルトのうち上記外周側となる上記他端部に配置されていることを特徴とする。
【００１６】
本明細書では、「一端部」、「他端部」とは、それぞれ一端、他端自体に限られず、或る範囲を含んでいてもよい。
【００１７】
この一実施形態の機器では、上記ベルトは、上記手首を取り巻いた状態で、上記周方向に関して一端部が内周側、他端部が外周側となって互いにオーバラップする。したがって、上記ベルトによって上記手首を圧迫して血圧測定を行う場合に、上記手首の圧迫を確実に行うことができ、血圧測定の精度を高めることができる。また、上記電池は、上記ベルトのうち上記外周側となる上記他端部に配置されている。したがって、上記電池の存在が上記ベルトによって上記手首を圧迫する際の障害にならない。
【００１８】
一実施形態の機器では、上記電池が配置された上記部位には電池のみが配置されていることを特徴とする。
【００１９】
本明細書で、「電池のみが配置されている」とは、電池以外の、機能を実行するための要素が配置されていないことを意味する。言い換えれば、電池収容ケースのような専ら収容のための要素は配置され得る。上記電池は、上記ベルトに内包されていてもよいし、または、電池収容ケースに収容されて上記ベルトに取り付けられていてもよい。
【００２０】
この一実施形態の機器では、上記電池以外の、機能を実行するための要素は、上記本体から離間した部位ではなく上記本体に搭載されているので、機器全体としての構成が複雑になるのを避け得る。
【発明の効果】
【００２１】
以上より明らかなように、この発明の機器によれば、本体の外形寸法を小型化できる。
【図面の簡単な説明】
【００２２】
【図１】この発明の一実施形態の機器の外観を示す斜視図である。
【図２】図２（Ａ）は、上記機器の本体を下側にして、図１における矢印Ａ方向から見たところを示す図である。図２（Ｂ）、図２（Ｃ）、図２（Ｄ）は、それぞれ上記機器を図２（Ａ）における左側方、右側方、下方から見たところを示す図である。を示す図である。
【図３】上記機器のブロック構成を示す図である。
【図４】上記機器が血圧測定を行う際の動作フローを示す図である。
【図５】上記機器がユーザの左手首に装着された状態を示す図である。
【図６】図６（Ａ）、図６（Ｂ）は、それぞれ、ユーザが上記機器を左手首に装着して推奨血圧測定姿勢をとっている状態を、ユーザの正面、ユーザの左側方から見たところを示す図である。
【図７】図２（Ｃ）においてベルトの外層の一部を取り除いて、ベルト内の流体袋と配線との配置を示す図である。
【図８Ａ】ベルト内で配線が幅方向に関して流体袋に重なった配置での、血圧測定時のカフ圧信号とノイズ成分を示す図である。
【図８Ｂ】ベルト内で配線が幅方向に関して流体袋から外れて縁部に沿った配置での、血圧測定時のカフ圧信号とノイズ成分を示す図である。
【発明を実施するための形態】
【００２３】
以下、この発明の実施の形態を、図面を参照しながら詳細に説明する。
【００２４】
（機器の構成）
図１は、この発明の一実施形態の、血圧測定機能を含む複数の機能を有する機器（全体を符号１で示す。）の外観を斜めから見たところ示している。図２（Ａ）は、機器１の本体１０を下側にして、図１における矢印Ａ方向から見たところを示している。また、図２（Ｂ）、図２（Ｃ）、図２（Ｄ）は、それぞれ機器１を図２（Ａ）における左側方、右側方、下方から見たところを示している。この機器１は、ユーザの左手首９０（後述の図５参照）に装着されることを予定している。
【００２５】
これらの図に示すように、この機器１は、大別して、ユーザの左手首９０に巻き付けられるべきベルト２０と、このベルト２０に一体に取り付けられた本体１０と、電池収容ケース１０Ａとを有している。
【００２６】
図１、図２（Ａ）によって良く分かるように、ベルト２０は、左手首９０を周方向に沿って取り巻くように細長い帯状の形状を有し、左手首９０に接すべき内層２０ａと、この内層２０ａに対向する外層２０ｂとを備えている。これらの内層２０ａと外層２０ｂとは、この例では互いの周縁が溶着されて袋状に形成されている。このベルト２０内には、左手首を圧迫するための流体袋２１（図３参照）が内包されている。
【００２７】
ベルト２０は、この機器１が左手首９０に装着された状態（以下「装着状態」と呼ぶ。）で、周方向に関して一端部２０ｅが内周側、他端部２０ｆが外周側となって互いにオーバラップするように構成されている。この例では、ベルト２０の一端部２０ｅと他端部２０ｆとは、周方向に関して或る範囲（この例では、電池収容ケース１０Ａの寸法と略一致する範囲）でオーバラップしている。このオーバラップの結果、ベルト２０によって左手首９０を圧迫して血圧測定を行う場合に、左手首９０の略全周を確実に圧迫することができ、血圧測定の精度を高めることができる。
【００２８】
この例では、図２（Ｂ）に示すように、ベルト２０を環状に維持するために、ベルト２０のうち周方向に関して一端部２０ｅ側の外層２０ｂの表面（外周面）に、複数の凹部２０ｄ，２０ｄ，…が周方向に列をなして配置されている。各凹部２０ｄは、外層２０ｂの途中までの深さを有している。一方、図２（Ａ）に示すように、ベルト２０のうち他端部２０ｆの内周面に、凹部２０ｄと係合し得る突起２０ｐが形成されている。一端部２０ｅ側の凹部２０ｄと他端部２０ｆ側の突起２０ｐとが互いに係合することによって、ベルト２０を環状に維持できる。
【００２９】
なお、上述の凹部２０ｄと突起２０ｐとの係合に代えて、または、その係合に加えて、例えば一端部２０ｅ側の外層２０ｂの表面（外周面）に多数の微細なループを設ける一方、他端部２０ｆ側の内層２０ａの表面（内周面）に多数の微細なフックを設けて、面ファスナを構成してもよい。この面ファスナを設けることによって、ベルト２０の一端部２０ｅと他端部２０ｆとを確実に互いに固定できる。
【００３０】
また、ベルト２０を常時環状に維持するために、ベルト２０内で、例えば流体袋２１と外層２０ｂとの間に、周方向に沿って、適度な可撓性を有するカーラを介挿してもよい。
【００３１】
本体１０は、ベルト２０のうち、周方向に関して、一端部２０ｅと他端部２０ｆとの間の略中央の部位に、一体に取り付けられて配置されている。この例では、本体１０が配置された部位は、装着状態で左手首９０の掌側面（手の平側の面）９０ａに対応することが予定されている（後述の図５参照）。
【００３２】
本体１０は、ベルト２０の外周面に対して垂直な方向に厚さを有する立体的形状を有している。この本体１０は、ユーザの日常活動の邪魔にならないように、小型で、薄厚に形成されている。この例では、本体１０は、図２（Ａ）によって良く分かるように、ベルト２０から外向きに突起した台形状の輪郭を有している。具体的には、本体１０の、周方向に関して両側に相当する側面１０ｅ，１０ｆは、この本体１０の中心線Ｃに関して左右対称に形成されている。そして、これらの側面１０ｅ，１０ｆは、ベルト２０から遠ざかるに連れて、ベルト２０の外周面に対する法線Ｎよりも中心線Ｃに近づく向きに傾斜している。法線Ｎに対する側面１０ｆの傾斜角δは、例えば３０°〜７０°の範囲内であるのが望ましく、４０°〜６０°の範囲内であるのがより望ましく、この例ではδ≒５０°に設定されている。また、図２（Ｄ）によって良く分かるように、本体１０の、幅方向（周方向に対して垂直な方向）に関して両側に相当する側面１０ｃ，１０ｄは、互いに平行に形成されている。また、図２（Ａ）によって良く分かるように、本体１０の外面のうち左手首９０から最も遠い側の面（以下「頂面」と呼ぶ。）１０ａは、周方向に沿って、ベルト２０の曲率半径よりも大きい曲率半径で湾曲している。本体１０の幅方向寸法は、ベルト２０の幅方向寸法と略一致している。
【００３３】
本体１０の頂面１０ａには、ユーザからの指示を入力するための操作部５２が設けられている。本体１０の側面１０ｆには、表示画面をなす表示器５０が設けられている。この側面１０ｆは、装着状態で本体１０の外面のうち左手首９０の橈側面（左手首９０の外周面のうち親指側に相当する部分）９０ｃに面する側の側面部分に相当する（後述の図５参照）。本体１０の側面１０ｅには、マイクロＵＳＢ（Universal Serial Bus）コネクタ５８が設けられている。
【００３４】
ベルト２０の外周面には、本体１０の側面１０ｆに沿って、幅方向に延びる位置合わせマーク２９が設けられている。この位置合わせマーク２９は、機器１を左手首９０に装着する際に、左手首９０の周りの位置合わせのために用いられる。
【００３５】
電池収容ケース１０Ａは、ベルト２０のうち周方向に関して本体１０から離間した部位に、この例では、ベルト２０のうち外周側となる他端部２０ｆに一体に取り付けられて配置されている。この電池収容ケース１０Ａは、電池５３を収容し（図３参照）、この例では偏平な略直方体状の立体的形状を有している。このように、電池収容ケース１０Ａがベルト２０のうち外周側となる他端部２０ｆに配置されているので、電池収容ケース１０Ａ（したがって、電池５３）の存在がベルト２０によって左手首９０を圧迫する際の障害にはならない。
【００３６】
図３は、機器１のブロック構成を示している。この機器１は、血圧測定機能のほか、時計機能、体温測定機能、活動量測定機能などの複数の機能を備えている。
【００３７】
この機器１の本体１０には、それらの機能を実行するための要素として、上述の表示器５０、操作部５２に加えて、制御部としてのＣＰＵ（Central Processing Unit）１００、記憶部としてのメモリ５１、通信部５９、ポンプ３２、弁３３、圧力センサ３１、および加速度センサ３４が搭載されている。さらに、本体１０には、圧力センサ３１からの出力を周波数に変換する発振回路３１０、ポンプ３２を駆動するポンプ駆動回路３２０、弁３３を駆動する弁駆動回路３３０、加速度センサ３４からの出力をＡＤ（Analog to Digital）変換するＡＤ変換器３４０が搭載されている。
【００３８】
表示器５０は、この例では有機ＥＬ（Electro Luminescence）ディスプレイからなり、ＣＰＵ１００からの制御信号に従って、血圧測定結果などの血圧測定に関する情報、その他の情報を表示する。なお、表示器５０は、有機ＥＬディスプレイに限られるものではなく、例えばＬＣＤ（Liquid Cristal Display）など、他のタイプの表示器からなっていてもよい。
【００３９】
操作部５２は、この例ではプッシュ式スイッチからなり、ユーザによる血圧測定開始又は停止の指示に応じた操作信号をＣＰＵ１００に入力する。なお、操作部５２は、プッシュ式スイッチに限られるものではなく、例えば感圧式（抵抗式）または近接式（静電容量式）のタッチパネル式スイッチなどであってもよい。また、図示しないマイクロフォンを備えて、ユーザの音声によって血圧測定開始の指示を入力するようにしてもよい。
【００４０】
メモリ５１は、機器１を制御するためのプログラムのデータ、機器１を制御するために用いられるデータ、機器１の各種機能を設定するための設定データ、血圧値の測定結果のデータなどを非一時的に記憶する。また、メモリ５１は、プログラムが実行されるときのワークメモリなどとして用いられる。
【００４１】
ＣＰＵ１００は、メモリ５１に記憶された機器１を制御するためのプログラムに従って、制御部として各種機能を実行する。例えば、血圧測定機能を実行する場合は、ＣＰＵ１００は、操作部５２からの操作信号に応じて、ポンプ３２や弁３３を駆動する制御を行う。また、ＣＰＵ１００は、圧力センサ３１からの信号に基づいて、血圧値を算出する制御を行う。さらに、ＣＰＵ１００は、加速度センサ３４の出力に基づいて、ユーザの左手首９０の姿勢、活動量などを検出する制御を行う。
【００４２】
通信部５９は、ＣＰＵ１００によって制御されて所定の情報を、ネットワーク９００を介して外部の装置に送信したり、外部の装置からの情報を、ネットワーク９００を介して受信してＣＰＵ１００に受け渡したりする。このネットワーク９００を介した通信は、無線、有線のいずれでも良い。この実施形態において、ネットワーク９００は、インターネットであるが、これに限定されず、病院内ＬＡＮ（Local Area Network）のような他の種類のネットワークであってもよいし、ＵＳＢケーブルなどを用いた１対１の通信であってもよい。この通信部５９は、既述のマイクロＵＳＢコネクタ５８を含んでいる。
【００４３】
ポンプ３２、弁３３および圧力センサ３１は、配管系としての共通のエア配管３９を介して、ベルト２０に内包されている流体袋２１に接続されている。ポンプ３２は、ベルト２０に内包された流体袋２１内の圧力（カフ圧）を加圧するために、エア配管３９を通して流体袋２１に空気を供給する。弁３３は、通電によって開閉が制御される電磁弁であり、流体袋２１の空気をエア配管３９を通して排出し、または封入してカフ圧を制御するために用いられる。ポンプ駆動回路３２０は、ポンプ３２をＣＰＵ１００から与えられる制御信号に基づいて駆動する。弁駆動回路３３０は、弁３３をＣＰＵ１００から与えられる制御信号に基づいて開閉する。
【００４４】
圧力センサ３１は、この例ではピエゾ抵抗式圧力センサであり、エア配管３９を通してベルト２０（流体袋２１）の圧力、この例では大気圧を基準（ゼロ）とした圧力を検出して時系列のカフ圧信号Ｐｃとして出力する。発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。
【００４５】
この例では、圧力センサ３１の出力は、オシロメトリック法によって、血圧値（収縮期血圧（Systolic Blood Pressure）と拡張期血圧（Diastolic Blood Pressure）とを含む。）を算出するのに用いられる。また、圧力センサ３１の出力は、脈拍を算出するのに用いられる。
【００４６】
分かるように、圧力センサ３１、ポンプ３２、弁３３、発振回路３１０、ポンプ駆動回路３２０、弁駆動回路３３０、および、ＣＰＵ１００は、流体袋２１に空気を供給して圧力制御するための圧力制御部を構成している。
【００４７】
加速度センサ３４は、本体１０内に一体に内蔵された３軸加速度センサからなる。この加速度センサ３４は、本体１０の、したがって本体１０と一体に取り付けられたベルト２０の、互いに直交する３方向の加速度を表す加速度信号を、ＡＤ変換器３４０を介して、ＣＰＵ１００に出力する。この例では、加速度センサ３４の出力は、ユーザの左手首９０の姿勢、活動量などを検出するのに用いられる。
【００４８】
電池収容ケース１０Ａには、電池５３のみが収容されている。ベルト２０内には、流体袋２１に沿って（ベルト２０の）周方向に延在し、本体１０に搭載された要素と電池５３とを電気的に接続する配線１９が設けられている。電池５３は、ベルト２０内を通る配線１９を介して、本体１０に搭載された要素、この例では、ＣＰＵ１００、圧力センサ３１、ポンプ３２、弁３３、加速度センサ３４、表示器５０、メモリ５１、通信部５９、発振回路３１０、ポンプ駆動回路３２０、弁駆動回路３３０、およびＡＤ変換器３４０の各要素へ電力を供給する。
【００４９】
この機器１では、時計機能は、ＣＰＵ１００が内蔵するクロックによって実現される。体温測定機能は、図示しない温度計の出力を用いて実現される。活動量測定機能は、加速度センサ３４の出力を用いて実現される。
【００５０】
（血圧測定機能の動作）
この機器１を左手首９０に装着する際には、ベルト２０の一端部２０ｅと他端部２０ｆとの係合を解除した状態で、図１中に矢印Ａで示す向きに、ユーザがベルト２０に左手を通す。そして、図５に示すように、ユーザは、左手首９０の周りのベルト２０の角度位置を調節して、左手首９０を通っている動脈９０ｕ上にベルト２０の位置合わせマーク２９を位置させる。この状態で、ユーザが、自分の左手首９０の周囲長に応じてベルト２０の一端部２０ｅ側の凹部２０ｄ，２０ｄ，…のうち適切なもの（左手首９０の周囲長にベルト２０の環の長さが丁度合うような凹部２０ｄ）を選択し、その凹部２０ｄと他端部２０ｆ側の突起２０ｐとを互いに係合させる。このようにして、機器１を左手首９０に装着する。この装着状態では、左手首９０の掌側面９０ａに対応して本体１０が配置され、また、左手首９０の背側面９０ｂに対応して電池収容ケース１０Ａが配置される。表示器５０は、左手首９０の橈側面９０ｃの側へ向いている。
【００５１】
この装着状態で、ユーザは、血圧測定を行うために、例えば製品の取扱説明書に従って、図６（Ａ）、図６（Ｂ）に示したような推奨血圧測定姿勢、すなわち、前腕を体幹に対して前方で斜め（手が上、肘が下）に交差して挙げて、左手首９０を心臓９１の高さレベルに維持し、かつ、左手首９０の橈側面９０ｃを上へ向けた姿勢をとる。すると、表示器５０は、上方へ面した状態になる。また、図２（Ａ）中に示したように、本体１０の外面のうち表示器５０が配置された側面１０ｆは、ベルト２０から遠ざかるに連れて、ベルト２０の外周面に対する法線Ｎよりも中心線Ｃに近づく向きに傾斜している。したがって、ユーザが推奨血圧測定姿勢（図６（Ａ）、図６（Ｂ））をとれば、表示器（表示画面）５０は、左手首９０の周りに関して、ユーザの視線に対して垂直に近づく。
【００５２】
この状態で、ユーザが本体１０に設けられた操作部５２としてのプッシュ式スイッチを右手で押すと、血圧測定が開始される。
【００５３】
図４は、機器１が血圧測定を行う際の動作フローを示している。血圧測定開始に際して、ＣＰＵ１００は、処理用メモリ領域を初期化し、弁駆動回路３３０に制御信号を出力する。弁駆動回路３３０は、制御信号に基づいて、弁３３を開放してベルト２０の流体袋２１内の空気を排気する。続いて、圧力センサ３１の０ｍｍＨｇの調整を行う制御を行う。
【００５４】
血圧測定期間（準備期間を含む。）中、ＣＰＵ１００は、表示器５０に、血圧測定の進捗状況を示す表示として、この例では、進捗に応じて横棒が０％から１００％まで伸びてゆくプログレスバーを表示する。
【００５５】
血圧測定を開始すると、まず、ＣＰＵ１００は、弁駆動回路３３０を介して弁３３を閉鎖し、その後、ポンプ駆動回路３２０を介してポンプ３２を駆動して、流体袋２１に空気を送る制御を行う。これにより、流体袋２１を膨張させるとともにカフ圧を徐々に加圧していく（図４のステップＳＴ１０１）。これにより、左手首９０の動脈９０ｕが圧迫される。
【００５６】
カフ圧が加圧されて所定の圧力に達すると（ステップＳＴ１０２でＹＥＳ）、ＣＰＵ１００は、ポンプ駆動回路３２０を介してポンプ３２を停止し、その後、弁駆動回路３３０を介して弁３３を徐々に開放する制御を行う。これにより、流体袋２１を収縮させるとともにカフ圧を徐々に減圧していく（ステップＳＴ１０３）。
【００５７】
ここで、所定の圧力とは、被験者の収縮期血圧よりも十分高い圧力（例えば、収縮期血圧＋３０ｍｍＨｇ）であり、予めメモリ５１に記憶されているか、カフ圧の加圧中にＣＰＵ１００が収縮期血圧を所定の算出式により推定して決定する（例えば特開２００１−７０２６３号公報参照）。
【００５８】
また、減圧速度については、カフ圧の加圧中に目標となる目標減圧速度を設定し、その目標減圧速度になるようにＣＰＵ１００が弁３３の開口度を制御する（同公報参照）。
【００５９】
上記減圧過程において、圧力センサ３１がベルト２０の圧力を検出してカフ圧信号Ｐｃを出力する。ＣＰＵ１００は、このカフ圧信号Ｐｃに基づいて、オシロメトリック法により公知のアルゴリズムを適用して血圧値（収縮期血圧と拡張期血圧）を算出する（ステップＳＴ１０４）。また、ＣＰＵ１００は、カフ圧信号Ｐｃに基づいて、脈拍も算出する。なお、血圧値、脈拍の算出は、減圧過程に限らず、加圧過程において行われてもよい。
【００６０】
血圧値を算出して決定すると（ステップＳＴ１０５でＹＥＳ）、ＣＰＵ１００は、血圧測定に関する情報として、その血圧測定によって得られた血圧値を表示器５０に表示する（ステップＳＴ１０６）。また、ＣＰＵ１００は、血圧値をメモリ５１へ保存する制御を行う（ステップＳＴ１０７）。
【００６１】
血圧値の表示としては、表示器５０に、例えば「最高血圧：１２０ｍｍＨｇ  最低血圧：８０ｍｍＨｇ」のような表示を行う。それに併せて、脈拍を例えば「脈拍：７０拍／分」のように表示してもよい。
【００６２】
測定が終了すると、ＣＰＵ１００は、弁駆動回路３３０を介して弁３３を開放し、ベルト２０の流体袋２１内の空気を排気する制御を行う（ステップＳＴ１０８）。これにより、血圧測定を終了する。
【００６３】
上述のように、ＣＰＵ１００は、表示器５０に、血圧測定に関する情報として、血圧測定の進捗状況を示す表示、および、血圧測定によって得られた血圧値を示す表示を行う。
【００６４】
ここで、血圧測定の期間中、ユーザが推奨血圧測定姿勢（図６（Ａ）、図６（Ｂ））をとっていれば、上述のように、本体１０の外面のうち表示器５０が配置された側面１０ｆは、上方へ面している。したがって、ユーザは上方から、上方へ面する表示器（表示画面）５０を見ることになる。また、この例では、表示器５０が配置された側面１０ｆは、ベルト２０の外周面に対する法線Ｎよりも左手首９０の橈側面９０ｃから遠ざかる向きに傾斜している。この結果、表示器５０は、左手首９０の周りに関して、ユーザの視線に対して垂直に近づいている。したがって、従来例に比して、ユーザにとって表示内容が見易くなる。この結果、ユーザが、意識的に又は無意識に、左手首９０を捻って左手首９０の背側面（手の甲側の面）９０ｂを上へ向けてしまうのを防止できる。したがって、血圧測定精度を高めることができる。
【００６５】
また、この機器１では、ベルト２０のうち左手首９０を取り巻く周方向に関して本体１０から離間した部位に、本体１０に搭載された要素へ電力を供給する電池５３が配置されている。したがって、本体１０内に電池５３を収容する構成を避け得る。この結果、本体１０の外形寸法、例えば左手首９０の外周面に対して垂直な方向の厚さを小型化できる。また、電池５３以外の、機能を実行するための要素は、本体１０から離間した部位ではなく本体１０に搭載されているので、機器１全体としての構成が複雑になるのを避け得る。
【００６６】
図７は、図２（Ｃ）においてベルト２０の外層２０ｂの一部を取り除いて、ベルト２０内の流体袋２１と配線１９との配置を示している。図７から分かるように、この例では、ベルト２０内で、配線１９は、幅方向に関して流体袋２１から外れて縁部２０ｇに沿って配置されている。この理由は、次の通りである。すなわち、仮に、ベルト２０内で配線１９が幅方向に関して流体袋２１に重なって配置されていれば、血圧測定の際に、流体袋２１の膨張または収縮に起因して、流体袋２１と配線１９とが摩擦をもって相対的にずれて、血圧測定時のカフ圧信号Ｐｃ（したがって、カフ圧信号Ｐｃの変動成分として得られる脈波信号）に対してノイズが生ずる可能性がある。また、配線１９が、繰り返し屈曲されて、断線する可能性がある。そこで、この機器１では、上述のように、ベルト２０内で、配線１９は、幅方向に関して流体袋２１から外れて、縁部２０ｇに沿って配置されている。したがって、血圧測定時のカフ圧信号Ｐｃ（したがって、カフ圧信号Ｐｃの変動成分として得られる脈波信号）に対してノイズが生ずるのを防止できる。また、配線１９が断線するのを防止できる。
【００６７】
図８Ａ、図８Ｂは、本発明者による、カフ圧信号Ｐｃに対するノイズの検証結果を示している。図８Ａは、ベルト２０内で配線１９が幅方向に関して流体袋２１に重なった配置での、血圧測定時のカフ圧信号Ｐｃ０（実線で示す）、および、カフ圧信号Ｐｃ０の変動成分として得られたノイズ成分Ｄｎ０（破線で示す）を示している。図８Ｂは、図７に示したようにベルト２０内で配線１９が幅方向に関して流体袋２１から外れて縁部２０ｇに沿った配置での、血圧測定時のカフ圧信号Ｐｃ１（実線で示す）、および、カフ圧信号Ｐｃ１の変動成分として得られたノイズ成分Ｄｎ１（破線で示す）を示している。図８Ａのカフ圧信号Ｐｃ０では、流体袋２１と配線１９との摩擦をもったずれと解されるパルス状のノイズが時々生じているのに対して、図８Ｂのカフ圧信号Ｐｃ１では、初期（加圧開始から数秒間）のノイズを除いて、そのようなパルス状のノイズは解消されている。
【００６８】
上述の実施形態では、電池収容ケース１０Ａがベルト２０のうち左手首９０の背側面９０ｂに対応して配置されるものとしたが、これに限られるものではない。電池収容ケース１０Ａ（したがって、電池５３）は、ベルト２０のうち左手首９０を取り巻く周方向に関して本体１０，１０′から離間した部位に配置されればよい。例えば、電池収容ケース１０Ａは、ベルト２０のうち左手首９０の橈側面９０ｃに対応する部位、または、尺側面（手首の外周面のうち小指側に相当する部分）に対応する部位に配置されてもよい。
【００６９】
また、上述の実施形態では、本体１０，１０′が左手首９０の掌側面９０ａに対応して配置されることを予定したが、これに限られるものではない。本体１０，１０′は、左手首９０の背側面９０ｂに対応して配置されることを予定した仕様としてもよい。その仕様では、例えば、図１、図７において、それぞれ、位置合わせマーク２９をベルト２０の外周面のうち電池収容ケース１０Ａに近い部位に設け（詳しくは、図２（Ａ）において、位置合わせマーク２９を環状のベルト２０の下半分から上半分の対称な位置に移動させ）、ユーザがベルト２０に矢印Ａと反対の側から左手を通すものとする。その場合も、電池収容ケース１０Ａ（したがって、電池５３）は、ベルト２０のうち左手首９０を取り巻く周方向に関して本体１０，１０′から離間した部位に配置されればよい。
【００７０】
また、上述の実施形態では、機器１，１′は、左手首９０に装着されることが予定されているものとした。しかしながら、これに限られるものではない。例えば、図１、図７において、それぞれ、ユーザがベルト２０に矢印Ａと反対の側から右手を通すものとする。これにより、機器１，１′は、左利きのユーザにとっても便利に使用され得る。
【００７１】
また、上述の実施形態では、電池５３は、電池収容ケース１０Ａに収容されてベルト２０に取り付けられているものとした。しかしながら、これに限られるものではなく、電池５３は、収容ケース無しで、ベルト２０に内包されていてもよい。
【００７２】
また、上述の実施形態では、血圧測定機能を実現するために、ベルト２０内に手首を圧迫するための流体袋２１（図３参照）が内包され、オシロメトリック法によって血圧を測定する構成を採用した。しかしながら、これに限られるものではない。例えば、ベルト２０の内周面に、複数並ぶ圧力センサ（圧電素子）を備えた半導体センサアレイを搭載し、トノメトリ法（手首を通っている動脈を、血管の全周のうちの一部が平坦になる程度に押し、動脈内圧と外圧をバランスさせて非侵襲的に血圧を測定する方法）によって血圧を測定する構成を採用してもよい。つまり、本発明の機器では、血圧測定機能については手首に巻き付けられたベルト２０を用いて血圧を測定できればよく、血圧測定機能を実現するために様々な構成および方法をとり得る。
【００７３】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００７４】
１，１′  機器
１０，１０′  本体
１０Ａ  電池収容ケース
１１  主部
１２  基部
１９  配線
２０  ベルト
５０  表示器
５２  操作部
５３  電池
【図１】
0006750225.tif 000002
【図２】
0006750225.tif 000003
【図３】
0006750225.tif 000004
【図４】
0006750225.tif 000005
【図５】
0006750225.tif 000006
【図６】
0006750225.tif 000007
【図７】
0006750225.tif 000008
【図８Ａ】
0006750225.tif 000009
【図８Ｂ】
0006750225.tif 000010